(57)【要約】      （修正有）【課題】棚受けアームが不本意にロックから解放されて棚板が垂れ下がってきたり、その上に搭載されている物品が落下したりすることがない折畳み式棚受け具を提供すること。【解決手段】取付けブラケット２０とこの取付けブラケット２０に折畳み自在に枢支された棚受けアーム４０とから成り、棚受けアーム４０に沿って長手方向に摺動自在に保持されたスライド部材５２が棚受けアーム４０のみに係るロック解放位置と棚受けアーム４０と取付けブラケット２０との間に跨って延びて棚受けアーム４０を棚受け状態に保持してロックするロック位置との間を摺動する。【選択図】図４
2008245952.tif 000002
【特許請求の範囲】
【請求項１】
取付けブラケットと、前記取付けブラケットに折畳み自在に枢支された棚受けアームと、前記棚受けアームを棚受け状態にロックするロック手段とを備えた折畳み式棚受け具において、前記ロック手段は、前記棚受けアームに沿って長手方向に摺動自在に保持されたスライド部材から成り、前記スライド部材は、前記棚受けアームのみに係るロック解放位置と前記棚受けアームと前記取付けブラケットとの間に跨って延びて前記棚受けアームを棚受け状態に保持してロックするロック位置との間を摺動することができることを特徴とする折畳み式棚受け具。
【請求項２】
請求項１に記載の折畳み式棚受け具であって、前記取付けブラケットは、前記スライド部材のロック位置で前記スライド部材の取付けブラケット内に延びる部分に係合して前記棚受けアームをロック位置に保持するスライド部材係合部を有することを特徴とする折畳み式棚受け具。
【請求項３】
請求項２に記載の折畳み式棚受け具であって、前記スライド部材係合部は、前記取付けブラケットの上端付近に取り付けられた保持ピンであることを特徴とする折畳み式棚受け具。
【請求項４】
請求項１乃至３のいずれかに記載の折畳み式棚受け具であって、前記ロック手段は、前記スライド部材のロック位置で前記スライド部材がロック解放位置に向けて変位するのを阻止するストッパを更に備えていることを特徴とする折畳み式棚受け具。
【請求項５】
請求項４に記載の折畳み式棚受け具であって、前記ストッパは、前記スライド部材がロック位置に達すると、前記スライド部材を阻止する位置になるように弾性的に付勢されていることを特徴とする折畳み式棚受け具。
【請求項６】
請求項４に記載の折畳み式棚受け具であって、前記ストッパは、前記スライド部材がロック位置に保持する状態やロック解放位置に向けて変位するのを許す状態に選択的に保持されることができることを特徴とする折畳み式棚受け具。
【請求項７】
請求項１乃至６のいずれかに記載の折畳み式棚受け具であって、前記スライド部材は、前記スライド部材をロック解放位置とロック位置との間を摺動するための摘みを有し、前記摘みは、前記棚受けアームの長溝を経て前記棚受けアームの下方から摘むことができるようになっていることを特徴とする折畳み式棚受け具。
【発明の詳細な説明】
【技術分野】
【０００１】
本発明は、壁体に棚板を水平に保持するように棚板を下支えするのに用いられる折畳み式棚受け具の改良に関するものである。
【背景技術】
【０００２】
一般に、折畳み式棚受け具は、壁体にねじ等で固定される取付けブラケットと、この取付けブラケットに折畳み自在に枢支されて棚板を下支えすべき棚受けアームと、この棚受けアームを棚受け状態にロックするロック手段とを備えている。
【０００３】
従来技術の折畳み式棚受け具は、取付けブラケットのアーム枢支部より下方位置に枢支されて棚受けアームに向けて斜めに延びて棚受けアームのガイド孔に係入された保持ピンを先端に有する支えアームを備え、ロック手段は、棚受けアームに枢支されて支えアームを棚受けアームを棚受け位置に保持するように支えアームに弾性的に係止する係止部を先端に有する操作レバーから成っている（特許文献１参照）。
【０００４】
この従来技術の棚受け具は、操作レバーを弾性に抗して操作すると、棚受けアームが操作レバーの係止部から外れて下支えアームがガイド孔に沿って前進しつつ棚受けアームと共に取付けブラケットに向けて枢動することができるので、取付けブラケットと棚受けアームと支えアームとがほぼ一直線上に折畳まれるので、例えば、机の延長棚を折畳み自在に取り付けることができる。
【０００５】
しかし、この棚受け具は、棚受けアームの下方に棚受けアームを棚受け状態に保持する支えアームやこの支えアームをロックする操作レバーを有するので、棚の下方に支えアームや操作レバーが張り出しており、誤って操作レバーに触れると、棚受けアームが不本意にロックから解放されて棚板が垂れ下がってきたり、その上に搭載されている物品が落下したりする虞があり、また棚受けアームの下方に支えアームや操作レバーが張り出していると、棚受けアームの下方空間を有効利用することができない欠点があった。
【０００６】
【特許文献１】実開昭５９−２３３４８号公報
【発明の開示】
【発明が解決しようとする課題】
【０００７】
本発明が解決しようとする課題は、棚受けアームの下方に部品が張り出すことがなく、下方空間を有効利用することができ、また棚受けアームが不本意にロックから解放されて棚板が垂れ下がってきたり、その上に搭載されている物品が落下したりすることがない折畳み式棚受け具を提供することにある。
【課題を解決するための手段】
【０００８】
本発明の課題解決手段は、取付けブラケットと、この取付けブラケットに折畳み自在に枢支された棚受けアームと、この棚受けアームを棚受け状態にロックするロック手段とを備えた折畳み式棚受け具において、ロック手段は、棚受けアームに沿って長手方向に摺動自在に保持されたスライド部材から成り、スライド部材は、棚受けアームのみに係るロック解放位置と棚受けアームと取付けブラケットとの間に跨って延びて棚受けアームを棚受け状態に保持してロックするロック位置との間を摺動することができることを特徴とする折畳み式棚受け具を提供することにある。
【０００９】
本発明の課題解決手段において、取付けブラケットは、スライド部材のロック位置でスライド部材の取付けブラケット内に延びる部分に係合して棚受けアームをロック位置に保持するスライド部材係合部を有し、このスライド部材係合部は、取付けブラケットの上端に付近に取り付けられた保持ピンとすることができる。
【００１０】
本発明の課題解決手段において、ロック手段は、スライド部材のロック位置でスライド部材がロック解放位置に向けて変位するのを阻止するストッパを備えている形態とすることができ、この場合、このストッパは、スライド部材がロック位置に達すると、スライド部材を阻止する位置になるように弾性的に付勢されているのが好ましいが、それ以外に、このストッパは、スライド部材がロック位置に保持する状態やロック解放位置に向けて変位するのを許す状態に選択的に保持されるようにすることもできる。
【００１１】
また、本発明の課題解決手段において、スライド部材は、このスライド部材をロック解放位置とロック位置との間を摺動するための摘みを有し、この摘みは、棚受けアームの長溝を経て棚受けアームの下方から摘むことができるようになっているのが好ましい。
【発明の効果】
【００１２】
本発明によると、棚受けアームを棚受け状態に保持したり、この棚受け状態をロックしたりする部品は、棚受けアームに沿って保持されているスライド部材から成っているので、従来技術のように、棚受けアームの下方に張り出すことがなく、従って、誤って棚受けアームのロック位置を解放することがなく、棚受けアームの不本意な折り畳みや棚上の物品の落下を生ずることがなく、また棚受けアームの下方の空間を有効利用することができる実益がある。
【００１３】
また、スライド部材は、棚受けアームに沿って配置するだけで組立てられるので、構造が簡単で組立が容易である。
【発明を実施するための最良の形態】
【００１４】
本発明の好ましい実施の形態による折畳み式棚受け具１０が図１乃至図５に示されている。この折畳み式棚受け具１０は、図示しない壁体に固定される取付けブラケット２０と、この取付けブラケット２０にピボット軸３０によって折畳み自在に枢支されて図示しない棚板を下支えすべき棚受けアーム４０と、この棚受けアーム４０を棚受け状態にロックするロック手段５０とを備えている。
【００１５】
取付けブラケット２０は、ウエブ２０Ｗとその両側に立ち上がる側壁２０Ｓとを有する金属製又はプラスチック製の縦長の断面Ｕ字形部材２０Ｍから成っている。図１及び図４に示すように、取付けブラケット２０は、ウエブ２０Ｗが外側になるようにしてウエブ２０Ｗに設けられたねじ貫通孔２０Ｈを貫通する図示しないねじを図示しない壁体にねじ込んで壁体に固定される。取付けブラケット２０の側壁２０Ｓは、下方に向けて壁体とは反対側の面が壁体に接近するようなテーパの形態を有し、最も幅広の上端部分ではウエブ２０Ｗが切り欠かれて、棚受けアーム４０の枢支部分は、このウエブ切欠き部分で取付けブラケット２０に対向している。なお、この取付けブラケット２０は、ねじ以外の適宜の手段で固定することができる。
【００１６】
棚受けアーム４０も、取付けブラケット２０と同様に、ウエブ４０Ｗとその両側に立ち上がる側壁４０Ｓとを有する金属製又はプラスチック製の縦長の断面Ｕ字形部材４０Ｍから成っており、ウエブ４０Ｗをピボット軸３０の回転スリーブ３０Ｓに固定して取付けブラケット２０に枢支されている。棚受けアーム４０の側壁４０Ｓも、前方に向けて下面が上昇するようなテーパの形態を有する。
【００１７】
また、棚受けアーム４０のウエブ４０Ｗは、図示しない棚板を固定すべきねじが貫通するねじ貫通孔４０Ｈを有し、棚板は、このねじ貫通孔４０Ｈを貫通するねじがねじ込まれて１対の棚受け具１０の棚受けアーム４０の側壁４０Ｓ上に固定される。
【００１８】
ロック手段５０は、棚受けアーム４０に沿って長手方向に摺動自在に保持されたストリップ状のスライド部材５２から成り、このスライド部材５２には摘み５２Ｋがねじ止めして取り付けられている。
【００１９】
スライド部材５２は、図４に示すように、取付けブラケット２０の上端の側壁２０Ｓ間に取り付けられたスライド部材係合部５４Ａと棚受けアーム４０の側壁４０Ｓ間に取り付けられたスライド部材係合部５４Ｂで抑えられながら摺動するように保持されている。
【００２０】
図示の形態では、スライド部材係合部５４Ａ、５４Ｂは、スライド部材４０の摺動を抵抗なく行うことができるように、保持ピン５４Ｐからなっているが、他の任意の形態とすることができる。
【００２１】
従って、図４に示すように、スライド部材５２が取付けブラケット２０の上端のスライド部材係合部５４Ａの下方に入り込むと、棚受けアーム４０は、取付けブラケット２０に直交するように展開する棚受け状態をロックするロック位置となり、また図５に示すように、スライド部材５２が取付けブラケット２０の上端のスライド部材係合部５４Ａから脱出すると、棚受けアーム４０は、取付けブラケット２０にほぼ平行する折畳み状態とすることができるようにロックを解放するロック解放位置となる。
【００２２】
摘み５２Ｋは、棚受けアーム４０のウエブ４０Ｗの長溝４０ＬＨを経て棚受けアーム４０の下方から摘むことができるようになっており、この摘み５２Ｋは、棚受けアーム４０をロック位置とロック解放位置との間で摺動してスライド部材５２を切り替えるのに用いられる。
【００２３】
図示の形態では、ロック手段５０は、スライド部材５２のロック位置でスライド部材５２がロック解放位置に向けて変位するのを阻止するストッパ５６を備えている。このストッパ５６は、図４及び図６に示すように、棚受けアーム４０のウエブ４０Ｗに打ち出しで設けられた短筒部４０ＷＣを貫通してばね５６Ｓによって通常ではウエブ４０Ｗの内面から突出するように付勢されてロック位置にあるスライド部材５２の先端に係止していてスライド部材５２がロック位置からロック解放位置に変位するのを阻止するようにしている。摘み５６Ｋは、ストッパ５８の下端に取り付けられて短筒部４０ＷＣの下端から露出している。
【００２４】
このストッパ５６は、スライド部材５２のロックを解放する際に、摘み５６Ｋをばね５６Ｓに抗して下方に引くことによってスライド部材５２の先端に係合する状態から外れる。このようにすると、スライド部材５２は、摘み５２Ｋによって図１及び図４のロック位置から図５のロック解放位置に摺動することができ、これによって棚受け状態のロックを解放して棚受け具１０を折り畳むことができる。
【００２５】
また、図５の折り畳み状態から棚受けアーム４０を図１、図４に示すように棚受け状態に展開した後、ロック手段５０のスライド部材５２を摘み５２Ｋによってロック位置に摺動すると、ストッパ５６は、ばね５６Ｓによって自動的にスライド部材５２の先端に係止するように上昇し、スライド部材５２のロック位置からの変位を阻止することができる。
【００２６】
上記実施の形態では、ストッパ５６が設けられているが、例えば、スライド部材５２がやや堅めに滑り嵌めしていれば、必ずしも必要ではない。また、スライド部材５２が取付けブラケット２０に入り込んだ状態で棚受けアーム４０を展開状態に維持することができれば、スライド部材係合部５４Ａ、５４Ｂを必ずしも設ける必要はない。例えば、取付けブラケット２０の上端を閉じる上壁を有していたり、棚受けアーム４０のスライド部材５２に対応する上面に同様の上壁を有していたりする場合に、これらの上壁は、スライド部材係合部５４Ａ、５４Ｂと同様の機能を有するので、特に、スライド部材係合部５４Ａ、５４Ｂを設ける必要はない。
【００２７】
図示の実施形態では、ストッパ５６は、ばね５６Sによって、スライド部材５２の先端に係合する位置に突出するように付勢されているが、ばね５６Sを設けることなく、ロック位置にあるスライド部材５２に係合するように突出する前進状態とスライド部材５２をロック解放位置に向けて変位するのを許す後退状態との間を手動で可動してこれらの状態に選択的に保持するように構成することもできる。例えば、図７（Ａ）（Ｂ）に示すように、ストッパ５６の杆部５６Ｒを短筒部４０ＷＣに螺合してストッパ５６の螺合位置の調整でストッパ５６を進退してそれぞれの位置に保持してもよい。また、図８（Ａ）（Ｂ）に示すように、ストッパ５６の杆部５６Ｒの上下に環状凹条５６ＲＲを設け、一方短筒部４０ＷＣの内面にこれらの環状凹条５６ＲＲが弾性的に係入する１つの環状突条４０ＷＣＰを設けてストッパ５６の２つの環状凹条５６ＲＲを短筒部４０ＷＣの１つの環状突条４０ＷＣＰに選択的に係合してストッパ５６を進退してそれぞれの状態に保持してもよい。
【産業上の利用可能性】
【００２８】
本発明によれば、棚受けアームを棚受け状態に保持したり、この棚受け状態をロックしたりするスライド部材は、棚受けアームの下方に張り出すことがないので、誤って棚受けアームのロック位置を解放して棚受けアームの不本意な折り畳みや棚上の物品の落下を生ずることがなく、高い産業上の利用性を有する。
【図面の簡単な説明】
【００２９】
【図１】本発明の１つの実施の形態による折畳み式棚受け具の棚受け状態（使用状態及び展開状態）の側面図である。
【図２】図１の棚受け具の上面図である。
【図３】図１の棚受け具の正面図である。
【図４】図１の棚受け具の縦断面図である。
【図５】図１の折畳み式棚受け具の不使用状態（折畳み状態）の縦断面図である。
【図６】図１の折畳み式棚受け具のストッパの拡大断面図である。
【図７】ストッパの変形例を拡大断面図であり、同図（Ａ）は、その後退状態、同図（Ｂ）はその前進状態を示す。
【図８】ストッパの他の変形例を拡大断面図であり、同図（Ａ）は、その後退状態、同図（Ｂ）はその前進状態を示す。
【符号の説明】
【００３０】
１０        折畳み式棚受け具
２０        取付けブラケット
２０Ｗ      ウエブ
２０Ｓ      側壁
２０Ｍ      断面Ｕ字形部材
２０Ｈ      ねじ貫通孔
３０        ピボット軸
３０Ｓ      回転スリーブ
４０        棚受けアーム
４０Ｗ      ウエブ
４０ＷＣ    短筒部
４０ＷＣＰ  環状突条
４０Ｓ      側壁
４０Ｍ      断面Ｕ字形部材
４０Ｈ      ねじ貫通孔
４０ＬＨ    長溝
４０ＷＣ    短筒部
４０ＷＣＰ  環状突条
５０        ロック手段
５２        スライド部材
５２Ｋ      摘み
５４Ａ      スライド部材係合部
５４Ｂ      スライド部材係合部
５４Ｐ      保持ピン
５６        ストッパ
５６Ｓ      ばね
５６Ｋ      摘み
５６Ｒ      ストッパの杆部
５６ＲＲ    環状凹条
【図１】
2008245952.tif 000003
【図２】
2008245952.tif 000004
【図３】
2008245952.tif 000005
【図４】
2008245952.tif 000006
【図５】
2008245952.tif 000007
【図６】
2008245952.tif 000008
【図７】
2008245952.tif 000009
【図８】
2008245952.tif 000010